(57)【特許請求の範囲】
【請求項１】
平行する複数の光ファイバ素線挿通孔を設けた多芯フェルールと、前記光ファイバ素線挿通孔のそれぞれに第１端を挿入してなる複数の光ファイバ素線と、前記多芯フェルールの光ファイバ素線挿入側端部に嵌入された大径保護チューブと、前記多芯フェルールの光ファイバ素線挿入側端部から露出する光ファイバ素線をそれぞれ挿通すると共に前記大径保護チューブ内に第１端を挿入され該大径保護チューブに固着された複数の小径保護チューブと、前記小径保護チューブの第２端から露出する光ファイバ素線をそれぞれ挿通すると共に前記小径保護チューブの第２端を挿入され該小径保護チューブにそれぞれ固着された複数の光ファイバ素線保護チューブとを具備してなり、前記光ファイバ素線保護チューブが、ふっ素樹脂チューブであることを特徴とする多芯フェルール保護チューブ付きコード。
【請求項２】
請求項１に記載の多芯フェルール保護チューブ付きコードにおいて、前記小径保護チューブがナイロンチューブであり、前記小径保護チューブと前記光ファイバ素線保護チューブとを粘着テープで固着したことを特徴とする多芯フェルール保護チューブ付きコード。
【請求項３】
請求項２に記載の多芯フェルール保護チューブ付きコードにおいて、前記大径保護チューブがナイロンチューブであり、前記大径保護チューブと前記小径保護チューブとを接着剤で固着したことを特徴とする多芯フェルール保護チューブ付きコード。
【請求項４】
平行する複数の光ファイバ素線挿通孔を設けた多芯フェルールと、前記光ファイバ素線挿通孔のそれぞれに第１端を挿入してなる複数の光ファイバ素線と、前記多芯フェルールの光ファイバ素線挿入側端部に嵌入された大径保護チューブと、前記大径保護チューブ内に第１端を挿入され該大径保護チューブに固着された中径保護チューブと、前記多芯フェルールの光ファイバ素線挿入側端部から露出する光ファイバ素線をそれぞれ挿通すると共に前記中径保護チューブ内に第１端を挿入され該中径保護チューブに固着された複数の光ファイバ素線保護チューブとを具備してなり、前記光ファイバ素線保護チューブが、ふっ素樹脂チューブであることを特徴とする多芯フェルール保護チューブ付きコード。
【請求項５】
請求項４に記載の多芯フェルール保護チューブ付きコードにおいて、前記中径保護チューブがナイロンチューブであり、前記中径保護チューブと前記光ファイバ素線保護チューブとを粘着テープで固着したことを特徴とする多芯フェルール保護チューブ付きコード。
【請求項６】
請求項５に記載の多芯フェルール保護チューブ付きコードにおいて、前記大径保護チューブがナイロンチューブであり、前記大径保護チューブと前記中径保護チューブとを接着剤で固着したことを特徴とする多芯フェルール保護チューブ付きコード。
【発明の詳細な説明】
【０００１】
【発明の属する技術分野】
本発明は、多芯フェルール保護チューブ付きコードに関し、さらに詳しくは、光ファイバ素線を光ファイバ素線保護チューブに挿入したり，除去したりする作業を行いやすい構造とした多芯フェルール保護チューブ付きコードに関する。
【０００２】
【従来の技術】
特開２００１−０２１７６１号公報には、平行する複数の光ファイバ素線挿通孔を設けた多芯フェルールと、前記光ファイバ素線挿通孔のそれぞれに第１端を挿入してなる複数の光ファイバ素線と、前記多芯フェルールの光ファイバ素線挿入側端部に嵌入された大径保護チューブと、前記多芯フェルールの光ファイバ素線挿入側端部から露出する光ファイバ素線をそれぞれ挿通する複数の光ファイバ素線保護チューブと、前記大径保護チューブと前記光ファイバ素線保護チューブとを接続する熱収縮チューブとを具備した多芯フェルール保護チューブ付きコードが開示されている。
【０００３】
前記光ファイバ素線としては、外径０.２５ｍｍ、長さ２.５ｍのシングルモード光ファイバ素線が使用されている。
また、前記大径保護チューブとしては、外径１.８ｍｍ、内径１.４ｍｍ、長さ０.５ｍのナイロンチューブが使用されている。
また、前記光ファイバ素線保護チューブとしては、内径０.３５ｍｍ、外径０.７５ｍｍ、長さ２.４ｍのナイロンチューブが使用されている。
また、前記熱収縮チューブとしては、熱収縮前の内径が２ｍｍ、長さ５ｃｍのものが使用されている。
【０００４】
【発明が解決しようとする課題】
上記特開２００１−０２１７６１号公報に開示の多芯フェルール保護チューブ付きコードでは、次の問題点がある。
（１）光ファイバ素線を光ファイバ素線保護チューブに挿通する際、滑らかに挿通できず、挿通作業に手間がかかる。
（２）光機器等への組み込み工程では、光ファイバ素線保護チューブを除去するが、この除去作業にも手間がかかる。
【０００５】
そこで、本発明の目的は、光ファイバ素線を光ファイバ素線保護チューブに挿入したり，除去したりする作業を行いやすい構造とした多芯フェルール保護チューブ付きコードを提供することにある。
【０００６】
【課題を解決するための手段】
第１の観点では、本発明は、平行する複数の光ファイバ素線挿通孔を設けた多芯フェルールと、前記光ファイバ素線挿通孔のそれぞれに第１端を挿入してなる複数の光ファイバ素線と、前記多芯フェルールの光ファイバ素線挿入側端部に嵌入された大径保護チューブと、前記多芯フェルールの光ファイバ素線挿入側端部から露出する光ファイバ素線をそれぞれ挿通すると共に前記大径保護チューブ内に第１端を挿入され該大径保護チューブに固着された複数の小径保護チューブと、前記小径保護チューブの第２端から露出する光ファイバ素線をそれぞれ挿通すると共に前記小径保護チューブの第２端を挿入され該小径保護チューブにそれぞれ固着された複数の光ファイバ素線保護チューブとを具備してなり、前記光ファイバ素線保護チューブが、ふっ素樹脂チューブであることを特徴とする多芯フェルール保護チューブ付きコードを提供する。
上記第１の観点による多芯フェルール保護チューブ付き光ファイバでは、光ファイバ素線保護チューブとしてふっ素樹脂チューブを用いたため、ファイバー素線に挿通する際に、摩擦抵抗が小さくなり、滑らかに挿通でき、断線したりすることもなく、挿通作業が楽になる。また、除去する際も、滑らかに抜くことができ、断線したりすることもなく、除去作業が楽になる。
【０００７】
上記ふっ素樹脂チューブとしては、ＦＥＰ（４ふっ化エチレン−６ふっ化プロピレン共重合樹脂）チューブ，ＴＦＥ（４ふっ化エチレン樹脂）チューブ，ＰＦＡ（パーフロロアルコキシ樹脂）チューブのような完全にふっ素化されたポリマーのチューブや、ＥＴＦＥ（エチレン−４ふっ化エチレン共重合樹脂）チューブ，ＥＣＴＦＥ（エチレン−３ふっ化エチレン共重合樹脂）チューブのようなエチレン・コポリマーのチューブや、ＰＣＴＦＥ（３ふっ化エチレン樹脂）チューブ，ＰＶＤＦ（ふっ化ビニリデン樹脂）チューブ，ＰＶＦ（ふっ化ビニール樹脂）チューブのようなふっ素化ホモポリマーのチューブを用いることが出来る。
【０００８】
また、上記第１の観点による多芯フェルール保護チューブ付きコードでは、光ファイバ素線保護チューブとしてふっ素樹脂チューブを用いたため、ファイバー素線に挿通する際に、摩擦抵抗が小さくなり、滑らかに挿通でき、断線したりすることもなく、挿通作業が楽になる。また、除去する際も、滑らかに抜くことができ、断線したりすることもなく、除去作業が楽になる。
また、大径保護チューブと小径保護チューブとを用いるため、径の違いを吸収するための調整の自由度が高くなる。
なお、小径保護チューブは、光ファイバ素線保護チューブに較べて短いため、小径保護チューブに光ファイバ素線を挿通する作業は負担にならない。
【０００９】
第２の観点では、本発明は、上記構成の多芯フェルール保護チューブ付きコードにおいて、前記小径保護チューブがナイロンチューブであり、前記小径保護チューブと前記光ファイバ素線保護チューブとを粘着テープで固着したことを特徴とする多芯フェルール保護チューブ付きコードを提供する。
上記第２の観点による多芯フェルール保護チューブ付きコードでは、熱収縮チューブを切除する必要がなく、粘着テープを剥がせば光ファイバ素線保護チューブを除去できるから、除去作業が楽になる。また、ふっ素樹脂チューブは、接着剤が効きにくいが、粘着テープなら好適に固着できる。
【００１０】
第３の観点では、本発明は、上記構成の多芯フェルール保護チューブ付きコードにおいて、前記大径保護チューブがナイロンチューブであり、前記大径保護チューブと前記小径保護チューブとを接着剤で固着したことを特徴とする多芯フェルール保護チューブ付きコードを提供する。
上記第３の観点による多芯フェルール保護チューブ付きコードでは、大径保護チューブと小径保護チューブとを接着してしまうから、除去する際に、一体的に除去でき、除去作業が楽になる。また、ナイロン同士であるから好適に接着できる。
【００１１】
第４の観点では、本発明は、平行する複数の光ファイバ素線挿通孔を設けた多芯フェルールと、前記光ファイバ素線挿通孔のそれぞれに第１端を挿入してなる複数の光ファイバ素線と、前記多芯フェルールの光ファイバ素線挿入側端部に嵌入された大径保護チューブと、前記大径保護チューブ内に第１端を挿入され該大径保護チューブに固着された中径保護チューブと、前記多芯フェルールの光ファイバ素線挿入側端部から露出する光ファイバ素線をそれぞれ挿通すると共に前記中径保護チューブ内に第１端を挿入され該中径保護チューブに固着された複数の光ファイバ素線保護チューブとを具備してなり、前記光ファイバ素線保護チューブが、ふっ素樹脂チューブであることを特徴とする多芯フェルール保護チューブ付きコードを提供する。
上記第４の観点による多芯フェルール保護チューブ付きコードでは、光ファイバ素線保護チューブとしてふっ素樹脂チューブを用いたため、ファイバー素線に挿通する際に、摩擦抵抗が小さくなり、滑らかに挿通でき、断線したりすることもなく、挿通作業が楽になる。また、除去する際も、滑らかに抜くことができ、断線したりすることもなく、除去作業が楽になる。
また、大径保護チューブと中径保護チューブとを用いるため、径の違いを吸収するための調整の自由度が高くなる。
なお、中径保護チューブは、光ファイバ素線保護チューブに較べて短いため、中径保護チューブに光ファイバ素線を挿通する作業は負担にならない。
【００１２】
第５の観点では、本発明は、上記構成の多芯フェルール保護チューブ付きコードにおいて、前記中径保護チューブがナイロンチューブであり、前記中径保護チューブと前記光ファイバ素線保護チューブとを粘着テープで固着したことを特徴とする多芯フェルール保護チューブ付きコードを提供する。
上記第５の観点による多芯フェルール保護チューブ付きコードでは、熱収縮チューブを切除する必要がなく、粘着テープを剥がせば光ファイバ素線保護チューブを除去できるから、除去作業が楽になる。また、ふっ素樹脂チューブは、接着剤が効きにくいが、粘着テープなら好適に固着できる。
【００１３】
第６の観点では、本発明は、上記構成の多芯フェルール保護チューブ付きコードにおいて、前記大径保護チューブがナイロンチューブであり、前記大径保護チューブと前記中径保護チューブとを接着剤で固着したことを特徴とする多芯フェルール保護チューブ付きコードを提供する。
上記第６の観点による多芯フェルール保護チューブ付きコードでは、大径保護チューブと中径保護チューブとを接着してしまうから、除去する際に、一体的に除去でき、除去作業が楽になる。また、ナイロン同士であるから好適に接着できる。
【００１４】
【発明の実施の形態】
以下、図に示す実施の形態により本発明をさらに詳細に説明する。なお、これにより本発明が限定されるものではない。
【００１５】
−第１の実施形態−
図１は、本発明の第１の実施形態にかかる２芯フェルール保護チューブ付きコード１００を示す断面図である。
この２芯フェルール保護チューブ付きコード１００は、平行する複数の光ファイバ素線挿通孔３，４を設けた２芯フェルール１と、前記光ファイバ素線挿通孔３，４のそれぞれに第１端を挿入してなる２本の光ファイバ素線Ｆ１，Ｆ２と、前記２芯フェルール１の光ファイバ素線挿入側端部２Ｂに嵌入された大径保護チューブ６と、前記２芯フェルール１の光ファイバ素線挿入側端部２Ｂから露出する光ファイバ素線Ｆ１，Ｆ２をそれぞれ挿通すると共に前記大径保護チューブ６内に第１端を挿入され該大径保護チューブ６に固着された２本の小径保護チューブ７，８と、前記小径保護チューブ７，８の第２端から露出する光ファイバ素線Ｆ１，Ｆ２をそれぞれ挿通すると共に前記小径保護チューブ７，８の第２端を挿入され該小径保護チューブ７，８にそれぞれ固着された２本の光ファイバ素線保護チューブ３１，３２と、測定端子１１，１２とを具備してなる。
【００１６】
前記光ファイバ素線Ｆ１，Ｆ２は、外径０.２５ｍｍ、長さ２.５ｍのシングルモード光ファイバ素線である。
前記大径保護チューブ６は、外径１.８ｍｍ、内径１.５ｍｍ、長さ４ｃｍのナイロンチューブである。
前記小径保護チューブ７，８は、外径０.７５ｍｍ、内径０.４５ｍｍ、長さ０.５ｍのナイロンチューブである。
前記光ファイバ素線保護チューブ３１，３２は、内径１.６ｍｍ、外径２ｍｍ、長さ１.５ｍのＦＥＰチューブである。
【００１７】
図２は、上記２芯フェルール保護チューブ付きコード１００の製造・出荷作業の各工程を示すフロー図である。
光ファイバ素線計尺・切断工程Ｓ１では、光ファイバ素線をそれぞれ所要長さに計尺・切断し、光ファイバ素線Ｆ１，Ｆ２を得る。
光ファイバ素線保護チューブ挿通工程Ｓ２では、光ファイバ素線Ｆ１，Ｆ２にそれぞれ光ファイバ素線保護チューブ３１，３２を挿通し、保護チューブ付き光ファイバとする。
小径保護チューブ挿通工程Ｓ３では、光ファイバ素線保護チューブ３１，３２から露出した光ファイバ素線Ｆ１，Ｆ２にそれぞれ小径保護チューブ７，８を挿通し、光ファイバ素線保護チューブ３１，３２内にそれぞれ小径保護チューブ７，８の第２端を挿入して粘着テープ２１，２２で固着する。
大径保護チューブ挿通工程Ｓ４では、小径保護チューブ７，８の第１端を大径保護チューブ６に挿入して接着剤１０で固着する。
【００１８】
端末処理工程Ｓ５では、光ファイバ素線保護チューブ３１，３２から露出した光ファイバ素線Ｆ１，Ｆ２の第２端にそれぞれ測定用端子１１，１２を接続する。
フェルール挿入工程Ｓ６では、大径保護チューブ６から露出した光ファイバ素線Ｆ１，Ｆ２の第１端をそれぞれ２芯フェルール１の光ファイバ素線挿通孔３，４に挿入する。同時に、大径保護チューブ６に２芯フェルール１を嵌入する。
接着硬化工程Ｓ７では、２芯フェルール１の光ファイバ素線挿入側端部２Ｂに接着剤５を注入し、硬化させる。
フェルール端末研磨工程Ｓ８では、２芯フェルール１の先端面２Ａを研磨する。
検査工程Ｓ９では、２芯フェルール保護チューブ付きコード１００の通光測定や損失測定等の検査を行い、合格したものを梱包出荷工程にまわす。
梱包出荷工程Ｓ１０では、２芯フェルール保護チューブ付きコード１００を梱包し、出荷する。
【００１９】
図３は、上記２芯フェルール保護チューブ付きコード１００の受入・組込作業の各工程を示すフロー図である。
受入検査工程Ｒ１では、出荷されてきた２芯フェルール保護チューブ付きコード１００の通光測定や損失測定等の検査を行い、合格したものを受け入れる。
保護チューブ除去工程Ｒ２では、まず、測定端子１１，１２を切除する。次に、粘着テープ２１，２２を剥がし、光ファイバ素線保護チューブ３１，３２を抜き去る。次に、大径保護チューブ６と小径保護チューブ７，８とを一体的に抜き去る。
組込工程Ｒ３では、光ファイバ素線Ｆ１，Ｆ２を輪状にしてパッケージに収納し、パッケージから出た２芯フェルール１を光機器等に接続し、パッケージから出た光ファイバ素線Ｆ１，Ｆ２を他の光ファイバに融着接続する。
【００２０】
以上の第１の実施形態に係る２芯フェルール保護チューブ付きコード１００によれば、光ファイバ素線保護チューブ３１，３２としてＦＥＰチューブを用いたため、ファイバー素線Ｆ１，Ｆ２を挿通する際に、摩擦抵抗が小さくなり、滑らかに挿通でき、断線したりすることもなく、挿通作業が楽になる。また、除去する際も、滑らかに抜くことができ、断線したりすることもなく、除去作業が楽になる。
【００２１】
また、大径保護チューブ６と小径保護チューブ７，８とを用いるため、径の違いを吸収するための調整の自由度が高くなる。
なお、小径保護チューブ７，８は、光ファイバ素線保護チューブ３１，３２に較べて短いため、小径保護チューブ７，８に光ファイバ素線Ｆ１，Ｆ２を挿通する作業は負担にならない。
【００２２】
また、熱収縮チューブを切除する必要がなく、粘着テープ２１，２２を剥がせば光ファイバ素線保護チューブ３１，３２を除去できるから、除去作業が楽になる。また、ＦＥＰチューブは、接着剤が効きにくいが、粘着テープ２１，２２なら好適に固着できる。
【００２３】
また、大径保護チューブ６と小径保護チューブ７，８とを接着してしまうから、除去する際に、一体的に除去でき、除去作業が楽になる。また、ナイロン同士であるから好適に接着できる。
【００２４】
−第２の実施形態−
図４は、本発明の第２の実施形態にかかる２芯フェルール保護チューブ付きコード２００を示す断面図である。
この２芯フェルール保護チューブ付きコード２００は、平行する複数の光ファイバ素線挿通孔３，４を設けた２芯フェルール１と、前記光ファイバ素線挿通孔３，４のそれぞれに第１端を挿入してなる２本の光ファイバ素線Ｆ１，Ｆ２と、前記２芯フェルール１の光ファイバ素線挿入側端部２Ｂに嵌入された大径保護チューブ６と、前記大径保護チューブ６内に第１端を挿入され該大径保護チューブ６に固着された中径保護チューブ９と、前記２芯フェルール１の光ファイバ素線挿入側端部２Ｂから露出する光ファイバ素線Ｆ１，Ｆ２をそれぞれ挿通すると共に前記中径保護チューブ９内に第１端を挿入され該中径保護チューブ９に固着された２本の光ファイバ素線保護チューブ３１，３２と、測定端子１１，１２とを具備してなる。
【００２５】
前記光ファイバ素線Ｆ１，Ｆ２は、外径０.２５ｍｍ、長さ２.５ｍのシングルモード光ファイバ素線である。
前記大径保護チューブ６は、外径１.８ｍｍ、内径１.６ｍｍ、長さ４ｃｍのナイロンチューブである。
前記中径保護チューブ９は、外径１.４ｍｍ、内径１.２ｍｍ、長さ０.５ｍのナイロンチューブである。
前記光ファイバ素線保護チューブ３１，３２は、外径０.６ｍｍ、内径０.４ｍｍ、長さ１.５ｍのＦＥＰチューブである。
【００２６】
図５は、上記２芯フェルール保護チューブ付きコード２００の製造・出荷作業の各工程を示すフロー図である。
光ファイバ素線計尺・切断工程Ｐ１では、光ファイバ素線をそれぞれ所要長さに計尺・切断し、光ファイバ素線Ｆ１，Ｆ２を得る。
光ファイバ素線保護チューブ挿通工程Ｐ２では、光ファイバ素線Ｆ１，Ｆ２にそれぞれ光ファイバ素線保護チューブ３１，３２を挿通し、保護チューブ付き光ファイバとする。
中径保護チューブ挿通工程Ｐ３では、光ファイバ素線保護チューブ３１，３２から露出した光ファイバ素線Ｆ１，Ｆ２に中径保護チューブ９を挿通し、中径保護チューブ９内に光ファイバ素線保護チューブ３１，３２の第１端をそれぞれ挿入して粘着テープ２０で固着する。
大径保護チューブ挿通工程Ｐ４では、中径保護チューブ９の第１端を大径保護チューブ６に挿入して接着剤１０で固着する。
【００２７】
端末処理工程Ｐ５では、光ファイバ素線保護チューブ３１，３２から露出した光ファイバ素線Ｆ１，Ｆ２の第２端にそれぞれ測定用端子１１，１２を接続する。
フェルール挿入工程Ｐ６では、大径保護チューブ６から露出した光ファイバ素線Ｆ１，Ｆ２の第１端をそれぞれ２芯フェルール１の光ファイバ素線挿通孔３，４に挿入する。同時に、大径保護チューブ６に２芯フェルール１を嵌入する。
接着硬化工程Ｐ７では、２芯フェルール１の光ファイバ素線挿入側端部２Ｂに接着剤５を注入し、硬化させる。
フェルール端末研磨工程Ｐ８では、２芯フェルール１の先端面２Ａを研磨する。
検査工程Ｐ９では、２芯フェルール保護チューブ付きコード２００の通光測定や損失測定等の検査を行い、合格したものを梱包出荷工程にまわす。
梱包出荷工程Ｐ１０では、２芯フェルール保護チューブ付きコード２００を梱包し、出荷する。
【００２８】
図６は、上記２芯フェルール保護チューブ付きコード２００の受入・組込作業の各工程を示すフロー図である。
受入検査工程Ｑ１では、出荷されてきた２芯フェルール保護チューブ付きコード２００の通光測定や損失測定等の検査を行い、合格したものを受け入れる。
保護チューブ除去工程Ｑ２では、まず、測定端子１１，１２を切除する。次に、粘着テープ２０を剥がし、光ファイバ素線保護チューブ３１，３２を抜き去る。次に、大径保護チューブ６と中径保護チューブ９とを一体的に抜き去る。
組込工程Ｑ３では、光ファイバ素線Ｆ１，Ｆ２を輪状にしてパッケージに収納し、パッケージから出た２芯フェルール１を光機器等に接続し、パッケージから出た光ファイバ素線Ｆ１，Ｆ２を他の光ファイバに融着接続する。
【００２９】
以上の第２の実施形態に係る２芯フェルール保護チューブ付きコード２００によれば、光ファイバ素線保護チューブ３１，３２としてＦＥＰチューブを用いたため、ファイバー素線Ｆ１，Ｆ２を挿通する際に、摩擦抵抗が小さくなり、滑らかに挿通でき、断線したりすることもなく、挿通作業が楽になる。また、除去する際も、滑らかに抜くことができ、断線したりすることもなく、除去作業が楽になる。
【００３０】
また、大径保護チューブ６と中径保護チューブ９とを用いるため、径の違いを吸収するための調整の自由度が高くなる。
なお、中径保護チューブ９は、光ファイバ素線保護チューブ３１，３２に較べて短いため、中径保護チューブ９に光ファイバ素線Ｆ１，Ｆ２を挿通する作業は負担にならない。
【００３１】
また、熱収縮チューブを切除する必要がなく、粘着テープ２０を剥がせば光ファイバ素線保護チューブ３１，３２を除去できるから、除去作業が楽になる。また、ＦＥＰチューブは、接着剤が効きにくいが、粘着テープ２０なら好適に固着できる。
【００３２】
また、大径保護チューブ６と中径保護チューブ９とを接着してしまうから、除去する際に、一体的に除去でき、除去作業が楽になる。また、ナイロン同士であるから好適に接着できる。
なお、製品により中径保護チューブ９が長くなる場合は、摩擦を少なくするため、ふっ素樹脂チューブを用いてもよい。
【００３３】
【発明の効果】
本発明の多芯フェルール保護チューブ付きコードによれば、光ファイバ素線保護チューブとしてふっ素樹脂チューブを用いたため、ファイバー素線を挿通する際に、摩擦抵抗が小さくなり、滑らかに挿通でき、断線したりすることもなく、挿通作業が楽になる。また、除去する際も、滑らかに抜くことができ、断線したりすることもなく、除去作業が楽になる。
【図面の簡単な説明】
【図１】第１の実施形態に係る多芯フェルール保護チューブ付きコードの断面図である。
【図２】第１の実施形態に係る多芯フェルール保護チューブ付きコードの製造・出荷手順の各工程を示すフロー図である。
【図３】第１の実施形態に係る多芯フェルール保護チューブ付きコードの受入・組込手順の各工程を示すフロー図である。
【図４】第２の実施形態に係る多芯フェルール保護チューブ付きコードの断面図である。
【図５】第２の実施形態に係る多芯フェルール保護チューブ付きコードの製造・出荷手順の各工程を示すフロー図である。
【図６】第２の実施形態に係る多芯フェルール保護チューブ付きコードの受入・組込手順の各工程を示すフロー図である。
【符号の説明】
１００，２００      ２芯フェルール保護チューブ付きコード
１                  ２芯フェルール
６                  大径チューブ
７，８              小径チューブ
９                  中径チューブ
１１，１２          測定端子
２０，２１，２２    粘着テープ
３１，３２          光ファイバ素線保護チューブ
Ｆ１，Ｆ２          光ファイバ
【図１】
0003809769.tif 000002
【図２】
0003809769.tif 000003
【図３】
0003809769.tif 000004
【図４】
0003809769.tif 000005
【図５】
0003809769.tif 000006
【図６】
0003809769.tif 000007